(57)【要約】【課題】プラズマディスプレイ装置において、データ電圧の低減を図ることを目的とする。【解決手段】少なくとも書き込み期間を有する複数のサブフィールドからなるサブフィールド群の最初のサブフィールドに設けられ全ての前記放電セルを点灯状態にする初期化期間と、そのサブフィールド群内のサブフィールド毎に第１の電極に第１の電位を印加するとともに第３の電極に第２の電位を印加して放電セルに選択的に書き込み放電を行い非点灯状態にする書き込み期間と、前記書き込み放電を行っていない放電セルに対してのみ維持放電を行う維持期間とを有し、前記書き込み期間の直前に、緩やかに変化するとともに最終到達電位が第３の電位となる壁電荷調整波形を前記第１の電極に印加する壁電荷調整期間を設け、かつ前記第３の電位が前記第１の電位より大きい関係となる電圧波形を印加する。【選択図】  図１
2005037606.tif 000002
【特許請求の範囲】
【請求項１】
第１の電極および第２の電極を対になるように配置するとともに、前記第１の電極および第２の電極と交差するように第３の電極を配置し、前記第１の電極および第２の電極と第３の電極との交差部に放電セルを形成してなるプラズマディスプレイ装置の駆動方法において、少なくとも書き込み期間を有する複数のサブフィールドからなるサブフィールド群の最初のサブフィールドに設けられ全ての前記放電セルを点灯状態にする初期化期間と、そのサブフィールド群内のサブフィールド毎に第１の電極に第１の電位を印加するとともに第３電極に第２の電位を印加して放電セルに選択的に書き込み放電を行い非点灯状態にする書き込み期間と、前記書き込み放電を行っていない放電セルに対してのみ維持放電を行う維持期間とを有し、前記書き込み期間の直前に、緩やかに変化するとともに最終到達電位が第３の電位となる壁電荷調整波形を前記第１の電極に印加する壁電荷調整期間を設け、かつ前記第３の電位が前記第１の電位より大きい関係となる電圧波形を印加することを特徴とするプラズマディスプレイ装置の駆動方法。
【請求項２】
第１の電位と第３の電位の電位差が、第３の電極に印加される第２の電位の半分以下であることを特徴とする請求項１記載のプラズマディスプレイ装置の駆動方法。
【請求項３】
第１の電極および第２の電極を対になるように配置するとともに、前記第１の電極および第２の電極と交差するように第３の電極を配置し、前記第１の電極および第２の電極と第３の電極との交差部に放電セルを形成してなるプラズマディスプレイ装置の駆動方法において、少なくとも書き込み期間を有する複数のサブフィールドからなるサブフィールド群の最初のサブフィールドに設けられ全ての前記放電セルを点灯状態にする初期化期間と、そのサブフィールド群内のサブフィールド毎に第１の電極に第１の電位を印加するとともに第３の電極に第２の電位を印加して放電セルに選択的に書き込み放電を行い非点灯状態にする書き込み期間と、前記書き込み放電を行っていない放電セルに対してのみ維持放電を行う維持期間とを有し、前記書き込み期間の直前に、緩やかに変化する壁電荷調整波形を前記第１の電極に印加する壁電荷調整期間を設け、前記壁電荷調整期間のうち、各サブフィールドの維持期間直後における壁電荷調整波形の最終到達電位を第３の電位とするとともに、前記初期化期間直後における壁電荷調整波形の最終到達電位を前記第３の電位と異なる第４の電位とし、かつ前記第３の電位および第４の電位が前記第１の電位より大きい関係となる電圧波形を印加することを特徴とするプラズマディスプレイ装置の駆動方法。
【請求項４】
第４の電位が第３の電位より大きい関係であることを特徴とする請求項３記載のプラズマディスプレイ装置の駆動方法。
【請求項５】
第１の電位と第３の電位の電位差、及び第１の電位と第４の電位の電位差が第３の電極に印加される第２の電位の半分以下であることを特徴とする請求項３または４記載のプラズマディスプレイ装置の駆動方法。
【発明の詳細な説明】
【０００１】
【発明の属する技術分野】
本発明はプラズマディスプレイ装置の駆動方法に関するものである。
【０００２】
【従来の技術】
従来のプラズマディスプレイ装置の駆動方法に関して、図４〜図８を用いて説明する。
【０００３】
まず、従来のＡＣ型プラズマディスプレイパネル（以下、パネルという）の構造を図７を用いて説明する。図７に示すように、透明な前面側のガラス基板１上には、第１の電極である走査電極４と第２の電極である維持電極５とで対をなすストライプ状の表示電極が複数対形成され、この走査電極４および維持電極５は、それぞれ透明電極４ａ，５ａおよびこの透明電極４ａ，５ａに電気的に接続された銀等の母線４ｂ，５ｂとから構成されている。また、前記前面側の基板１には、前記複数対の電極群を覆うように誘電体層２が形成され、その誘電体層２上には保護膜３が形成されている。
【０００４】
背面側のガラス基板６上には絶縁体層７で覆われたデータ電極８が付設され、データ電極８の間の絶縁体層７上にデータ電極８と平行して隔壁９が設けられている。また、絶縁体層７の表面からと隔壁９の側面にかけて蛍光体１０が設けられ、走査電極４および維持電極５とデータ電極８とが直交するようにガラス基板１とガラス基板６とを放電空間１１を挟んで対向して配置されている。放電空間１１には、放電ガスとして、ヘリウム、ネオン、アルゴン、キセノンの内少なくとも１種類の希ガスが封入されており、隣接する二つの隔壁９に挟まれ、データ電極８と対向する対をなす走査電極４と維持電極５との交差部の放電空間には放電セル１２が構成されている。
【０００５】
次に、上記パネルの電極配列は、図８に示すように、Ｎ行×Ｍ列の放電セルからなるマトリックス構成であり、行方向にはＮ行の走査電極ＳＣＮ１〜ＳＣＮｎおよび維持電極ＳＵＳ１〜ＳＵＳｎが配列され、列方向にはＭ列のデータ電極Ｄ１〜Ｄｍが配列されている。
【０００６】
プラズマディスプレイの発光を考えるにあたり、非常に重要になってくるのが、壁電荷という概念である。プラズマディスプレイの各電極間には、ある一定の電圧（Ｖｆ）以上の電圧をかけることはできず、もしこのＶｆ以上の電圧が電極間にかかれば、放電を開始してしまう。この放電によって、各電極に蓄えられるのが壁電荷である。電極間電圧Ｖｃは、外部印加電圧Ｖａと壁電荷Ｖｗとによって次のように表現される。
【０００７】
Ｖｃ＝Ｖａ＋Ｖｗ、Ｖｃ＞Ｖｆで放電開始
この放電には大きく分けて２種類あり、一つは、急激に外部印加電圧Ｖａが変化して、電極間電圧ＶｃがＶｆを越えてしまうことによって発生する強放電であり、セルの電位状態を中和するように各電極に壁電荷がたまる。もう一つは、徐々に外部印加電圧Ｖａが変化することによって、徐々に電極間電圧ＶｃがＶｆを越えることによって発生する弱放電である。この弱放電では、電極間電圧ＶｃがＶｆの状態を保ったまま、壁電荷Ｖｗがたまっていく。
【０００８】
このパネルを用いたＡＣ型プラズマディスプレイ装置の駆動方法の一例として、例えば特許文献１のものが知られている。この従来例について図４を用いて説明する。
【０００９】
図４に示すように、初期化期間２１では、走査電極４に印加されかつ正の徐々に変化する電圧波形Ｖｓｅｔ１と、維持電極５に印加されかつ負の徐々に変化する電圧波形Ｖｓｅｔ２とにより、弱放電が発生し、走査電極４に負の壁電荷が蓄積し、維持電極５には正の壁電荷が蓄積される。次に、維持電極５に電圧がＧＮＤレベルまで上がった後、走査電極４をＧＮＤレベルとし、維持電極５をＶｓｕｓ（Ｖ）へ偏移させる。この時、走査電極４の負の壁電荷と、維持電極５の正の壁電荷によって、狭放電を発生させ、走査電極４には正、維持電極５には負の壁電荷が蓄積され、セル内の電界強度が０になった時点で放電が終了する。さらに、維持電極５の印加電圧がＧＮＤレベルとなり、走査電極４の電圧が維持電圧Ｖｓｕｓ（Ｖ）まで上昇すると、すでに蓄えられていた壁電荷とともに強放電を起こし、壁電荷が反転する。つまり、走査電極４に先ほどとは逆の負の壁電荷を、維持電極５に正の壁電荷を蓄積する。ここで、セル内の電圧は、強放電が発生すると、これを中和するように壁電荷を蓄積して放電動作を終了するため、データ電極８も放電の影響を受け、Ｖｓｕｓ（Ｖ）とＧＮＤレベルの中間的な電圧の壁電荷が蓄積される。これにより、次に走査電極４をＧＮＤレベルとし、書き込み放電が発生しないときには、維持期間において、維持電極５をＶｓｕｓ（Ｖ）まで上げることにより、再び壁電荷を反転させることができ、維持動作が可能となる。つまり、初期化期間２１により、全セルを点灯状態にすることができる。
【００１０】
書き込み期間２２では、全ての維持電極５をＧＮＤレベルに保持し、第１行目の表示する放電セルに対応する所定のデータ電極Ｄ１〜Ｄｍに正の書き込みパルス電圧Ｖｄ（Ｖ）を、第１行目の走査電極ＳＣＮ１に負の走査パルス電圧Ｖｓｃ（Ｖ）をそれぞれに印加すると、所定のデータ電極Ｄ１〜Ｄｍと第１行目の走査電極ＳＣＮ１との交点部において、書き込み放電が起こる。次に、第２行目の表示する放電セルに対応する所定のデータ電極Ｄ１〜Ｄｍに正の書き込みパルス電圧Ｖｄ（Ｖ）を、第２行目の走査電極ＳＣＮ２に負の走査パルス電圧Ｖｓｃ（Ｖ）をそれぞれに印加すると、所定のデータ電極Ｄ１〜Ｄｍと第２行目の走査電極ＳＣＮ２との交点部において書き込み放電が起こる。
【００１１】
上記同様の動作が順次に行われて、最後に第Ｎ行目の表示する放電セルに対応する所定のデータ電極Ｄ１〜Ｄｍに正の書き込みパルス電圧Ｖｄ（Ｖ）を、第Ｎ行目の走査電極ＳＣＮｎに負の走査パルス電圧Ｖｓｃ（Ｖ）をそれぞれに印加すると、所定のデータ電極Ｄ１〜Ｄｍと第Ｎ行目の走査電極ＳＣＮｎとの交点部において書き込み放電が起こる。この放電は、負の壁電荷を持つ走査電極に負の電圧を加え、正の壁電荷を持つデータ電極に正の電圧を加えることで放電を起こし、放電後にはセル内の壁電荷は、ほぼ消滅する。ここで、走査パネル電圧Ｖｓｃ（Ｖ）は、ＧＮＤレベルよりアドレス電圧Ｖａｄ（Ｖ）だけ嵩上げされている。これは、もし、Ｖａｄ（Ｖ）が０であれば、後に説明する自己消去放電で走査電極４とデータ電極８上の壁電荷が減少するために、書き込み放電が発生しづらくなり、逆にＶａｄ（Ｖ）＝Ｖｓｃ（Ｖ）だと書き込み動作をしない状態でも走査パネルを印加することにより、書き込みを行ってしまうため、書き込み放電をスムーズに行うことをできるようにするためである。
【００１２】
次の維持期間２３では、書き込み動作がなかったセルに対しては、走査電極４に負、維持電極５に正の壁電荷がたまっているため、走査電極４をＧＮＤレベルとし、維持電極５にＶｓｕｓ（Ｖ）を加えることにより放電し、走査電極４に正、維持電極５に負の壁電荷がたまる。次に、それぞれの電圧に逆の電圧を加えることにより、逆の壁電荷がたまり、これを反復して行くことにより、放電が持続する。維持期間の最後は、走査電極４をＶｓｕｓ（Ｖ）にして、負の壁電荷を蓄積して終了する。これは、初期化期間と同じことであり、次の維持期間において、書き込み放電を発生しない場合には、放電を持続させることができる。一方、書き込み放電を行った場合には、壁電荷がほとんどなくなってしまうために、維持動作ができなくなる。
【００１３】
例えば、図５（ａ）に示すような１フィールドを８サブフィールドに分割した場合には、第１サブフィールドは、初期化期間２１と書き込み期間２２と維持期間２３でなり、後の第２から第８のサブフィールドは、書き込み期間２２と維持期間２３のみで構成される。はじめの初期化期間で全セルを点灯状態とし、書き込み放電が起こるまでは、維持期間での放電を持続させ、書き込み期間で書き込まれたセルは以降点灯しない。よって、図５（ｂ）の表に示すように、全く維持発光しない場合を含めて全部で９階調を表現することが可能となる。なお、図中の○は、維持発光をするサブフィールド、×は書き込み放電をするサブフィールドである。
【００１４】
次に初期化期間および維持期間の最後の工程である走査電極４に印加する電圧の立下り部分について説明する。この部分の直前（図４中のＡ点）の壁電荷状態を図６（ａ）に示す。図に示すように、走査電極４の立ち上がり放電が発生しているため、走査電極４に負、維持電極５に正の壁電荷が蓄積している。ここで、走査電極４の電圧をＧＮＤに落としても、走査電極４と維持電極５間の電位差は、放電開始電圧Ｖｆには到達しない。一方、データ電極８には、前記したようにＶｓｕｓの約半分の電圧の壁電荷が蓄積しており、データ電極８と走査電極３との間の放電開始電圧は比較的小さいため、データ電極上の正の壁電荷と走査電極上の負の壁電荷で微弱な放電が発生する。これを以下、自己消去放電と呼ぶ。
【００１５】
その結果、それぞの電極上の壁電荷が微妙に削られ、次の書き込み工程をスムーズに行うことが可能となる。つまり、図６（ｂ）（図４中のＢ点）のように、図６（ａ）から比べると、若干データ電極８の壁電荷と走査電極４の壁電荷が削られている。このときに、もし微弱な自己消去放電が発生しないときには、図６（ｃ）（図４中のＣ点）のようにデータ電極８に印加する正の書き込みパルスがなくても、走査電極４に印加する負の走査パルスで書き込み放電が発生してしまう誤書き込みが生じ、以降不灯セルとなってしまう。逆にこのときに比較的大きな自己消去放電を伴ってしまった場合には、図６（ｄ）（図４中のＣ点）に示すように、データ電極８と走査電極４の壁電荷が必要以上に削られ、書き込み放電が発生しなくなる書き込みミスが生じる。このとき、書き込み放電は発生しないが、維持電極５と走査電極４との放電には十分な壁電荷が残っているため、維持放電は継続して行ってしまい、輝点セルとなってしまう。
【００１６】
【特許文献１】
特開２０００−２２７７７８号公報
【００１７】
【発明が解決しようとする課題】
しかし、このようなプラズマディスプレイ装置の駆動方法においては、自己消去放電の強さは、走査電極とデータ電極間の放電開始電圧に敏感に依存しており、例えば、Ｒ，Ｇ，Ｂ各色での放電開始電圧のばらつきであるとか、パネル面内での放電開始電圧のばらつきなどが存在すると、Ｒ，Ｇ，Ｂ各色やパネル面内の放電セルごとに維持期間終了後の壁電荷状態が異なるため、続く書き込み期間中に全てのセルの書き込み放電を正常に行うためには高いデータ電圧が必要となる課題があった。
【００１８】
本発明はこのような課題を解決し、データ電圧の低減を図ることを目的とするものである。
【００１９】
【課題を解決するための手段】
上記目的を達成するために本発明のプラズマディスプレイ装置の駆動方法は、少なくとも書き込み期間を有する複数のサブフィールドからなるサブフィールド群の最初のサブフィールドに設けられ全ての前記放電セルを点灯状態にする初期化期間と、そのサブフィールド群内のサブフィールド毎に第１の電極に第１の電位を印加するとともに第３電極に第２の電位を印加して放電セルに選択的に書き込み放電を行い非点灯状態にする書き込み期間と、前記書き込み放電を行っていない放電セルに対してのみ維持放電を行う維持期間とを有し、前記書き込み期間の直前に、緩やかに変化するとともに最終到達電位が第３の電位となる壁電荷調整波形を前記第１の電極に印加する壁電荷調整期間を設け、かつ前記第３の電位が前記第１の電位より大きい関係となる電圧波形を印加することを特徴とする。
【００２０】
【発明の実施の形態】
すなわち、本発明の請求項１に記載の発明は、第１の電極および第２の電極を対になるように配置するとともに、前記第１の電極および第２の電極と交差するように第３の電極を配置し、前記第１の電極および第２の電極と第３の電極との交差部に放電セルを形成してなるプラズマディスプレイ装置の駆動方法において、少なくとも書き込み期間を有する複数のサブフィールドからなるサブフィールド群の最初のサブフィールドに設けられ全ての前記放電セルを点灯状態にする初期化期間と、そのサブフィールド群内のサブフィールド毎に第１の電極に第１の電位を印加するとともに第３電極に第２の電位を印加して放電セルに選択的に書き込み放電を行い非点灯状態にする書き込み期間と、前記書き込み放電を行っていない放電セルに対してのみ維持放電を行う維持期間とを有し、前記書き込み期間の直前に、緩やかに変化するとともに最終到達電位が第３の電位となる壁電荷調整波形を前記第１の電極に印加する壁電荷調整期間を設け、かつ前記第３の電位が前記第１の電位より大きい関係となる電圧波形を印加することを特徴とする。
【００２１】
また、請求項２に記載の発明は、請求項１において、第１の電位と第３の電位の電位差が、第３の電極に印加される第２の電位の半分以下であることを特徴とする。
【００２２】
また、請求項３に記載の発明は、第１の電極および第２の電極を対になるように配置するとともに、前記第１の電極および第２の電極と交差するように第３の電極を配置し、前記第１の電極および第２の電極と第３の電極との交差部に放電セルを形成してなるプラズマディスプレイ装置の駆動方法において、少なくとも書き込み期間を有する複数のサブフィールドからなるサブフィールド群の最初のサブフィールドに設けられ全ての前記放電セルを点灯状態にする初期化期間と、そのサブフィールド群内のサブフィールド毎に第１の電極に第１の電位を印加するとともに第３の電極に第２の電位を印加して放電セルに選択的に書き込み放電を行い非点灯状態にする書き込み期間と、前記書き込み放電を行っていない放電セルに対してのみ維持放電を行う維持期間とを有し、前記書き込み期間の直前に、緩やかに変化する壁電荷調整波形を前記第１の電極に印加する壁電荷調整期間を設け、前記壁電荷調整期間のうち、各サブフィールドの維持期間直後における壁電荷調整波形の最終到達電位を第３の電位とするとともに、前記初期化期間直後における壁電荷調整波形の最終到達電位を前記第３の電位と異なる第４の電位とし、かつ前記第３の電位および第４の電位が前記第１の電位より大きい関係となる電圧波形を印加することを特徴とする。
【００２３】
また、請求項４に記載の発明は、請求項３において、第４の電位が第３の電位より大きい関係であることを特徴とする。
【００２４】
さらに、請求項５に記載の発明は、請求項３及び請求項４において、第１の電位と第３の電位の電位差、及び第１の電位と第４の電位の電位差が第３の電極に印加される第２の電位の半分以下であることを特徴とする。
【００２５】
以下、本発明の一実施の形態によるプラズマディスプレイ装置の駆動方法について図１〜図３の図面を用いて説明する。
【００２６】
図１に示すように、初期化期間２１と書き込み期間２２、維持期間２３に関しては図４に示す例と同じであり、本発明においては、初期化期間２１および維持期間２３の後に、すなわち書き込み期間の直前に壁電荷調整期間２４を設けている。
【００２７】
ところで、書き込み工程をスムーズに行うためには、走査電極４に走査パルスを印加した状態でデータ電極８との電位差がＶｆ状態にあることが望ましい。この上で、書き込みパルスがデータ電極８に印加された場合には、書き込み放電を行い、印加されなかった場合には、何も起こらない。しかしながら、従来のような自己消去波形の場合には、セル間のばらつきにより、あるセルは正常なＶｆ状態にあるが、あるセルは走査パルスを印加した時点でＶｆ電圧を超える状態にある。
【００２８】
また、あるセルは走査パルスを印加した時点でＶｆ電圧状態よりもかなり低い電圧状態である。このようなセルによるばらつきが大きい場合、パネル内の全てのセルにおいて正常な書き込み放電を起こす場合には書き込み電圧Ｖｄ（Ｖ）を上げる必要がある。
【００２９】
図１に示す本発明の駆動波形では壁電荷調整期間２４において、走査電極にＶｓｕｓ（Ｖ）電圧から徐々に電位を落としていく壁電荷調整波形２５を印加し、第３の電位である電位Ｖｉ（Ｖ）まで電位を落とす。上記壁電荷調整波形２５を印加することにより各セルには微弱放電が発生するため、パネル内でセルのＶｆがばらついていたとしても、壁電荷調整波形２５の最終電位Ｖｉ（Ｖ）では、それぞれのセルがＶｆに近い状態に保つことができ、従来の駆動方法に比べパネル面内のＶｆのばらつきをかなり抑えることができる。
【００３０】
加えて、続く書き込み期間２３に走査パルスＶａｄ（Ｖ）を印加するとき、Ｖｉ（Ｖ）＞Ｖａｄ（Ｖ）とすることによって、走査パネルを印加した時に、セルには、Ｖｉ（Ｖ）−Ｖａｄ（Ｖ）電圧が壁電荷調整期間２４で形成されたセル内電圧に加えて印加されることとなり、書き込み電圧Ｖｄ（Ｖ）を低減することが可能となる。
【００３１】
図２に書き込み電圧Ｖｄ（Ｖ）とパネル面内での書き込み放電の発生割合の関係を示しており、特性ａは従来の駆動方法の場合、特性ｂは壁電荷調整期間２４を設け、Ｖｉ（Ｖ）＝Ｖａｄ（Ｖ）とした場合、特性ｃは本発明の駆動波形で、壁電荷調整期間２４を設け、Ｖｉ（Ｖ）＞Ｖａｄ（Ｖ）とした場合のものである。図中、Ｖｉｇはパネル内で書き込みパルスを印加したセルで書き込み放電が発生し始める電圧を示し、Ｖｐｄは書き込みパルスを印加したすべてのセルで書き込み放電を行うための電圧である。
【００３２】
図２において、従来の駆動方法の場合（ａ）、自己消去波形を用いているため維持期間終了後のパネル面内での壁電荷の状態は各セルによって大きく異なっている。そのため全てのセルが書き込み放電を行うまでの書き込み電圧Ｖｐｄ（ａ）は大きな電圧となってしまう。しかし、特性ｂのように壁電荷調整期間２４を設けＶｉ（Ｖ）＝Ｖａｄ（Ｖ）とした場合、書き込み放電が発生し始めてから全てのセルが書き込み放電を行うまでの書き込み電圧は従来に比べて小さくなる（｜Ｖｐｄ（ｂ）−Ｖｉｇ（ｂ）｜＜｜Ｖｐｄ（ａ）−Ｖｉｇ（ａ）｜）。しかし、書き込み放電が発生するまでの電圧Ｖｉｇ（ｂ）が従来よりも大きくなってしまい、結局は全てのセルが書き込み放電を行うのに必要な電圧Ｖｐｄ（ｂ）は従来例と比べて少し減少する程度である。
【００３３】
一方、特性ｃの本発明の駆動方法で、壁電荷調整期間２４を設け、Ｖｉ（Ｖ）＞Ｖａｄ（Ｖ）とした場合、特性ｂに比べて書き込み放電が発生するまでの電圧Ｖｉｇ（ｃ）を著しく下げることができる。また、壁電荷調整期間２４を設けているので、書き込み放電が発生し始めてから全てのセルが書き込み放電を行うまでの電圧も、小さくて済むため、全てのセルに書き込み放電を行うのに必要な電圧Ｖｐｄ（ｃ）はかなり小さくすることができる。
【００３４】
しかし、Ｖｉ（Ｖ）−Ｖａｄ（Ｖ）を大きくし過ぎると、書き込み選択のためのデータパルスを印加しない状態でもセルで書き込み放電が起こってしまう。これは図２のＶｉｇ（ｃ）が０Ｖ以下となることを意味する。従って、Ｖｉ（Ｖ）−Ｖａｄ（Ｖ）の電位差は、Ｖｉｇ（ｃ）＞０Ｖとなる条件に設定する必要がある。実際にはＶｉ（Ｖ）−Ｖａｄ（Ｖ）は書き込み電圧Ｖｄａ（Ｖ）の半分以下であることが望ましい。
【００３５】
また、図３で示すように、初期化期間２１に維持放電がなくなり、初期化期間２１ではＶｓｅｔ１とＶｓｅｔ２の電位差のみで微弱放電を行うような駆動波形では、初期化後の壁電荷状態と維持期間終了後の壁電荷状態ではかなり大きな違いがある。そのため、初期化期間後の書き込み期間で書き込みを行う場合と、維持期間後で維持発光を行ったセルが続く書き込み期間で書き込みを行う場合では、すべてのセルが書き込み放電を行うのに必要な電圧Ｖｐｄ（Ｖ）が異なる。一般に初期化期間後のＶｐｄは維持期間後のＶｐｄよりも大きくなるため、全ての状態で正常な書き込み放電を行うためにはＶｄ（Ｖ）の設定電圧が上がってしまう。
【００３６】
そこで、初期化終了後の壁電荷調整波形の第４の電位である最終到達電位をＶｊ（Ｖ）とし、維持期間終了後の壁電圧調整波形の第３の電位である最終到達電位をＶｉ（Ｖ）とし、Ｖｊ（Ｖ）＞Ｖｉ（Ｖ）＞Ｖａｄ（Ｖ）とすることで、初期化期間後の書き込み期間で走査パルスを印加したセルにはＶｊ（Ｖ）−Ｖａｄ（Ｖ）が壁電荷調整期間で形成されたセル内電圧に加えて印加され、維持期間後の書き込み期間で走査パルスを印加したセルにはＶｉ（Ｖ）−Ｖａｄ（Ｖ）が壁電荷調整期間で形成されたセル内電圧に加えて印加される。
【００３７】
これにより、Ｖｊ（Ｖ）＞Ｖｉ（Ｖ）のために初期化期間後の書き込み期間にセルに印加される電圧は維持期間後のそれよりも大きくなるため、初期化期間に維持放電がなくなった場合でも初期化期間後のＶｐｄを下げることができ、この結果初期化期間に維持放電がなくなった場合でも、Ｖｄａ（Ｖ）の上昇を防ぐことができる。
【００３８】
なお、Ｖｉ（Ｖ）−Ｖａｄ（Ｖ）やＶｊ（Ｖ）−Ｖａｄ（Ｖ）が大き過ぎると、書き込み選択のためのデータパルスを印加しない状態でもセルで書き込み放電が起こってしまう。実際にはＶｉ（Ｖ）−Ｖａｄ（Ｖ）及びＶｊ（Ｖ）−Ｖａｄ（Ｖ）は、書き込み電圧Ｖｄａ（Ｖ）の半分以下であることが望ましい。
【００３９】
【発明の効果】
以上の説明から明らかなように本発明によれば、全てのセルを点灯状態となるように初期化し、どこか一つのサブフィールドにおいて消去放電を行い、その消去放電が行われるまでの維持期間のみ維持発光を行う駆動方法において、壁電荷調整波形を用い、その最終到達電位Ｖｉ（Ｖ）を書き込み期間の走査パルス電位Ｖａｄ（Ｖ）よりも大きくすることで、書き込み電圧Ｖｄ（Ｖ）を低くすることができる。
【図面の簡単な説明】
【図１】本発明の一実施の形態によるプラズマディスプレイ装置の駆動方法における駆動波形図
【図２】本発明における書き込み電圧Ｖｄ（Ｖ）とパネル面内での書き込み放電の発生割合の関係を示す特性図
【図３】本発明の他の実施の形態を示す駆動波形図
【図４】従来の駆動方法における駆動波形図
【図５】従来の駆動シーケンスを説明するための説明図
【図６】従来の課題を示すセル内壁電荷の分布図
【図７】プラズマディスプレイ装置のパネル構造を一部を切り欠いて示す斜視図
【図８】同プラズマディスプレイ装置のパネルの電極配列を示す説明図
【符号の説明】
１  ガラス基板
２  誘電体層
３  保護膜
４  走査電極
５  維持電極
６  ガラス基板
７  絶縁体層
８  データ電極
９  隔壁
１０  蛍光体
１１  放電空間
１２  放電セル
【図１】
2005037606.tif 000003
【図２】
2005037606.tif 000004
【図３】
2005037606.tif 000005
【図４】
2005037606.tif 000006
【図５】
2005037606.tif 000007
【図６】
2005037606.tif 000008
【図７】
2005037606.tif 000009
【図８】
2005037606.tif 000010